(57)【要約】【課題】各部位の位置関係が変更可能な電子機器において、荷重による変形を未然に防止する。【解決手段】ひずみゲージ１１は、グリップフレーム２１に設けられた溝２５内に接着剤等で貼り付けられており、グリップフレーム２１の変形に応じた出力信号を出力する。ひずみゲージ１１の出力信号は、被覆電線２４を介して、カメラ本体２３の内部に組み込まれた検出回路１２に伝達される。検出回路１２では、伝達された信号を基に、設定した限界応力（ひずみ）値との照合を行い、限界値を超える場合には、本体内部のスピーカ９、もしくはＬＥＤ１０（または表示部１７）、もしくはバイブレータ（本体内部、あるいはグリップフレーム２１に配置）を通じて、除荷を促すアラーム信号を、音もしくは光で使用者に通知する。【選択図】図３
2012138779.tif 000002
【特許請求の範囲】
【請求項１】
装置本体と、当該装置本体の外周を覆うとともに、当該装置本体に回動可能に接続され、かつ、使用者によりグリップとして把持される形状を有する枠状のフレーム部材とからなる電子機器であって、
前記フレーム部材は、
少なくとも使用者が把持することにより荷重が加わる部位に配置され、当該フレームの変形を検出する検出部と、
この検出部からのデータを前記装置本体に送出するためのデータ送出部と
を備え、
前記装置本体は、
報知部と、
前記データ送出部から送出されるデータに基づいて、前記フレーム部材の変形を前記報知部にて報知するよう制御する制御部と
を備えることを特徴とする電子機器。
【請求項２】
前記装置本体と前記フレーム部材とは、回動軸によって回動可能に接続され、
前記データ送出部は、
前記回動軸を介して装置本体の制御部にデータを送出することを特徴とする請求項１に記載の電子機器。
【請求項３】
前記回動軸を中心とした、前記装置本体と前記フレーム部材との回転角度を検出する角度検出部を更に備え、
前記制御部は、
前記角度検出部により前記装置本体と前記フレーム部材とが所定の角度であることが検出された場合に、前記検出部による前記フレーム部材の変形を検出させるよう前記検出部の作動／非作動を制御することを特徴とする請求項２に記載の電子機器。
【請求項４】
前記報知部は、
前記検出部の作動／非作動の切り替えを報知することを特徴とする請求項３に記載の電子機器。
【発明の詳細な説明】
【技術分野】
【０００１】
本発明は、デジタルカメラや、携帯電話などの電子機器に関する。
【背景技術】
【０００２】
従来より、デジタルカメラのような携帯可能な電子機器においては、携帯時、もしくは衣服への収納時における、ねじり等の変形を防止する目的で、歪を検出した場合に警報報知を行う技術が考えられている（例えば、特許文献１参照）。このような従来技術においては、装置本体の破損を回避するため、報知を行うことを目的としている。
【先行技術文献】
【特許文献】
【０００３】
【特許文献１】特開２００５−１５６８５４号公報
【発明の概要】
【発明が解決しようとする課題】
【０００４】
ところで、装置本体を２つ、もしくは３つのピースに分割し、それら各ピースの位置関係を任意に変更することで、使い勝手を向上させる電子機器が提案されている。このような電子機器においては、各ピースの位置関係の変更を許容する一方、耐久性においては格段に低下するという傾向にある。したがって、必要以上の荷重により変形し、各ピースの位置関係を変更することができなくなるという問題が予見される。
【０００５】
そこで本発明は、各部位の位置関係が変更可能な電子機器において、荷重による変形を未然に防止することができる電子機器を提供することを目的とする。
【課題を解決するための手段】
【０００６】
上記目的達成のため、請求項１記載の発明は、装置本体と、当該装置本体の外周を覆うとともに、当該装置本体に回動可能に接続され、かつ、使用者によりグリップとして把持される形状を有する枠状のフレーム部材とからなる電子機器であって、前記フレーム部材は、少なくとも使用者が把持することにより荷重が加わる部位に配置され、当該フレームの変形を検出する検出部と、この検出部からのデータを前記装置本体に送出するためのデータ送出部とを備え、前記装置本体は、報知部と、前記データ送出部から送出されるデータに基づいて、前記フレーム部材の変形を前記報知部にて報知するよう制御する制御部とを備えることを特徴とする。
【０００７】
また、請求項２記載の発明は、請求項１ににおいて、前記装置本体と前記フレーム部材とは、回動軸によって回動可能に接続され、前記データ送出部は、前記回動軸を介して装置本体の制御部にデータを送出することを特徴とする。
【０００８】
また、請求項３記載の発明は、請求項２ににおいて、前記回動軸を中心とした、前記装置本体と前記フレーム部材との回転角度を検出する角度検出部を更に備え、前記制御部は、前記角度検出部により前記装置本体と前記フレーム部材とが所定の角度であることが検出された場合に、前記検出部による前記フレーム部材の変形を検出させるよう前記検出部の作動／非作動を制御することを特徴とする。
【０００９】
また、請求項４記載の発明は、請求項３において、前記報知部は、前記検出部の作動／非作動の切り替えを報知することを特徴とする。
【発明の効果】
【００１０】
この発明によれば、荷重による変形を未然に防止することができるという利点が得られる。
【図面の簡単な説明】
【００１１】
【図１】本発明の実施形態によるデジタルカメラの構成を示すブロック図である。
【図２】本実施形態によるデジタルカメラの構造を示す正面図であり、（ａ）はグリップフレームが収納されている状態、（ｂ）はグリップフレームが展開された状態を示す図である。
【図３】本実施形態によるデジタルカメラのグリップフレームの荷重検出機構の概略を示す概念図であり、（ａ）はグリップフレームにおけるひずみゲージの設置位置を示す図、（ｂ）、（ｃ）は、夫々直交する方向からみた、グリップフレームに設置されたひずみゲージの実装状態の断面図を示す図である。
【発明を実施するための形態】
【００１２】
以下、本発明の実施の形態を、図面を参照して説明する。
【００１３】
Ａ．実施形態の構成
図１は、本発明の実施形態によるデジタルカメラの構成を示すブロック図である。図において、デジタルカメラ１は、撮像レンズ２、レンズ駆動部３、絞り兼用シャッタ４、ＣＣＤ５、ＴＧ（Timing
Generator）６、ユニット回路７、画像処理部８、スピーカ９、ＬＥＤ１０、ひずみゲージ１１、検出回路１２、ＣＰＵ１３、ＤＲＡＭ１４、メモリ１５、フラッシュメモリ１６、表示部１７、キー入力部１８、カードＩ／Ｆ１９、及びメモリ・カード２０を備えている。
【００１４】
撮像レンズ２は、フォーカスレンズ、ズームレンズなどを含み、レンズ駆動部３が接続されている。レンズ駆動部３は、撮像レンズ２を構成するフォーカスレンズ、ズームレンズをそれぞれ光軸方向に駆動させるモータと、ＣＰＵ１３からの制御信号に従ってフォーカスモータ、ズームモータを駆動させるフォーカスモータドライバ、ズームモータドライバから構成されている。
【００１５】
絞り兼用シャッタ４は、図示しない駆動回路を含み、駆動回路によってＣＰＵ１３から送られてくる制御信号に従って動作する。該絞り兼用シャッタ４は、撮像レンズ２から入ってくる光の量を制御する。ＣＣＤ（撮像素子）５は、撮像レンズ２、絞り兼用シャッタ４を介して投影された被写体の光を電気信号に変換し、撮像信号としてユニット回路７に出力する。該ＣＣＤ５は、ＴＧ６によって生成された所定周波数のタイミング信号に従って駆動される。
【００１６】
ユニット回路７は、ＣＣＤ５から出力される撮像信号を相関二重サンプリングして保持するＣＤＳ（Correlated
Double Sampling）回路、そのサンプリング後の撮像信号の自動利得調整を行うＡＧＣ（Automatic
Gain Control）回路、その自動利得調整後のアナログの撮像信号をデジタル信号に変換するＡ／Ｄ変換器から構成されている。該ユニット回路７は、ＴＧ６によって生成された所定周波数のタイミング信号に従って駆動される。ＣＣＤ５の撮像信号は、ユニット回路７を経てデジタル信号として画像処理部８に送られる。
【００１７】
画像処理部８は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理、複数の撮像画像を合成する処理などを行う。該画像処理部８は、ＴＧ６によって生成された所定周波数のタイミング信号に従って駆動される。
【００１８】
スピーカ９、ＬＥＤ１０は、ＣＰＵ１３の制御に従って、後述するグリップフレームに所定以上の負荷が加わった場合に使用者にその旨を報知する。ひずみゲージ１１は、後述する筐体の一部であるグリップフレームに設けられ、該グリップフレームに加えられる応力（ひずみ）を検出する。検出回路１２は、ひずみゲージ１１で検出された、後述するグリップフレームに所定以上の負荷が加わったか否かを判断し、所定以上の負荷が加わった場合に、上記スピーカ９、ＬＥＤ１０を駆動してその旨を報知するべく、ＣＰＵ１３に判断結果を通知する。
【００１９】
ＣＰＵ１３は、デジタルカメラ１の各部を制御するワンチップマイコンである。特に、本実施形態では、ＣＰＵ１３は、後述する筐体の一部であるグリップフレームに所定以上の負荷が加わったことを検出回路１２から通知されると、上記スピーカ９、ＬＥＤ１０を駆動してその旨を報知する。なお、グリップフレームや、ひずみゲージ１１等の詳細については後述する。
【００２０】
ＤＲＡＭ１４は、ＣＣＤ５によって撮像された後、ＣＰＵ１３に送られてきた画像データを一時記憶するバッファメモリとして使用されるとともに、ＣＰＵ１３のワーキングメモリとして使用される。メモリ１５は、ＣＰＵ１３によるデジタルカメラ１の各部の制御に必要なプログラム、及び各部の制御に必要なデータが記録されており、ＣＰＵ１３は、このプログラムに従って処理を行う。フラッシュメモリ１６や、メモリ・カード２０は、ＣＣＤ５によって撮像された画像データなどを保存しておく記録媒体である。
【００２１】
表示部１７は、カラーＬＣＤとその駆動回路を含み、撮像待機状態にあるときには、ＣＣＤ５によって撮像された被写体をスルー画像として表示し、記録画像の再生時には、フラッシュメモリ１６や、メモリ・カード２０から読み出され、伸張された記録画像を表示する。キー入力部１８は、シャッタスイッチ、ズームスイッチ、モードキー、ＳＥＴキー、十字キー等の複数の操作キーを含み、ユーザのキー操作に応じた操作信号をＣＰＵ１３に出力する。カードＩ／Ｆ１９には、デジタルカメラ１本体の図示しないカードスロットを介してメモリ・カード２０が着脱自在に装着されている。
【００２２】
図２（ａ）は、本実施形態によるデジタルカメラの構造を示す正面図である。図において、グリップフレーム２１は、ヒンジ等の回転機構２２を介して、レンズ及び液晶ディスプレイ等から構成されるカメラ本体２３と締結され、通常は、グリップフレーム２１の内側にカメラ本体２３が干渉しない程度のクリアランスを保って収納されている。グリップフレーム２１は可動式となっており、図２（ｂ）に図示するように、グリップフレーム２１を９０°回転させて展開すると、グリップフレーム２１の内側は、中空領域３１となり、この状態でユーザが把持することにより想定荷重以上の負荷３０が作用すると、グリップフレーム２１が変形することになる。
【００２３】
図３（ａ）〜（ｃ）は、本実施形態によるデジタルカメラのグリップフレームの荷重検出機構の概略を示す概念図であり、図３（ａ）は、グリップフレーム２１におけるひずみゲージ１１の設置位置を示す図である。また、図３（ｂ）、（ｃ）は、夫々直交する方向からみた、グリップフレーム２１に設置されたひずみゲージ１１の実装状態の断面図を示す図である。図３（ｂ）に図示するように、グリップフレーム２１の荷重検出は、グリップフレーム２１に設けられた溝２５内に接着剤等で貼り付けられたひずみゲージ１１とその出力信号をカメラ本体２３の内部に組み込まれた検出回路１２に伝達するための被覆電線２４、さらには、ひずみゲージ１１及び被覆電線２４を保護するための保護樹脂２６ａもしくはカバー２６ｂとから構成されている。
【００２４】
グリップフレーム２１に設ける溝２５は、図３（ｃ）に図示するように、フレームの強度を損なうことのない程度の浅い溝が好ましい。通常、ひずみゲージ１１のベース厚みは数十ミクロンと薄いため、被覆電線２４の線径に依存することになるが、１００〜１５０ミクロン程度とすることが望ましい。また、充填樹脂２６ａは、ひずみゲージ１１のひずみ検出精度に影響を与え難い、シリコーンゴム等の柔らかい材質が好ましい。さらに、ひずみゲージの貼り付け位置は、図３（ａ）に図示するようにグリップフレーム２１の中空部の中央とすることが望ましい。
【００２５】
これは、グリップフレーム２１は、コの字（Ｕ字）形状であり、開いた側は、カメラ本体２３とヒンジ等の回転機構２２を介して締結されており、両端が指示された梁状と考えられ、負荷位置がグリップフレーム２１のどの位置であっても、材料力学計算式等によりグリップフレーム２１の中空部の中央領域に荷重が作用した場合の曲げ応力（ひずみ）が最大となるためである。
【００２６】
したがって、この中空部の中央領域に負荷が作用した場合の弾性限界曲げ応力（ひずみ）を、グリップフレーム２１の材料の降伏応力（０．２％耐力）以下の値となるように、アラーム通知の閾値に設定することにより、グリップフレーム２１のどの位置に負荷が加わっても、検出される曲げ応力（ひずみ）は、弾性限界応力以上の値にはならず、グリップフレーム２１が変形してしまうことはない。
【００２７】
グリップフレーム２１に貼り付けられたひずみゲージ１１からの出力信号は、グリップフレーム２１の変形に伴い、ひずみゲージ１１の電極に接合された被覆電線２４を通じて、カメラ本体２３の検出回路１２に伝達される。検出回路１２では、伝達された信号を基に、設定した限界応力（ひずみ）値との照合を行い、限界値を超える場合には、本体内部のスピーカ９、もしくはＬＥＤ１０（または表示部１７）、もしくはバイブレータ（本体内部、あるいはグリップフレーム２１に配置）を通じて、除荷を促すアラーム信号を、音もしくは光で使用者に通知するようにする。このアラームは、使用者に過負荷状態であることを認知させ、使用者に除荷を促すため、結果としてグリップフレーム２１の変形を抑制することになる。
【００２８】
なお、この検出回路１２は、グリップフレーム２１とカメラ本体２３が展開されたときにのみ作動するように、回転機構部２２に回転角センサ、もしくはエンコーダスイッチ等を設け、所定の角度以上にグリップフレーム２１が開かれたときにのみ作動する機構を設けることで、グリップフレーム２１内にカメラ本体２３が格納されているときに、無駄なバッテリ消費を抑えることも可能である。
【００２９】
また、この検出回路１２のＯＮ／ＯＦＦ時（フレームの展開／格納時）にブザー音等を鳴らし、注意を喚起するようにすれば、展開／格納時にストラップ等の付帯物の挟み込みも防止することができる。
【００３０】
上述した実施形態によれば、荷重検出機構をグリップフレーム２１に設けることで、想定された荷重以上の負荷が作用する場合に、カメラ本体にあるスピーカ９、あるいはＬＥＤ１０、表示部１７、バイブレータ（図示略）などを介して、音もしくは光や、振動で使用者に除荷を促すアラームを通知することにより、グリップフレーム２１の変形を抑制し、グリップフレーム２１内にカメラ本体２３が収納できなくなることを回避し、かつ形状・寸法精度を必要最低限にすることができ、デザイン性、及びコンパクト性をも確保することができる。
【符号の説明】
【００３１】
１  デジタルカメラ
２  撮像レンズ
３  レンズ駆動部
４  絞り兼用シャッタ
５  ＣＣＤ
６  ＴＧ
７  ユニット回路
８  画像処理部
９  スピーカ
１０  ＬＥＤ
１１  ひずみゲージ
１２  検出回路
１３  ＣＰＵ
１４  ＤＲＡＭ
１５  メモリ
１６  フラッシュメモリ
１７  表示部
１８  キー入力部
１９  カードＩ／Ｆ
２０  メモリ・カード
２１  グリップフレーム
２２  回転機構
２３  カメラ本体
２４  被覆電線
２５  溝
２６ａ  保護樹脂
２６ｂ  カバー
【図１】
2012138779.tif 000003
【図２】
2012138779.tif 000004
【図３】
2012138779.tif 000005